(57)【要約】【課題】水を吸い込むことができる電気掃除機において、電動送風機の吸気口への水の到達を防止することができる電気掃除機を提供すること。【解決手段】空気が電動送風機７の吸気口２０へ流れるのを許容するが、集塵容器１２に溜まった水が吸気口２０へ流れるのは阻止するメインフィルタ２３を設ける。これにより、吸気口２０への水の到達を防止することができる。また、集塵容器１２に溜まった水によって浮力が作用されることで上方へ移動するメインフィルタ２３の底面によって、フロート２８が、ガイド突起２７に沿って押し上げられる。そして、集塵容器１２に所定水位まで水が溜められると、押し上げられたフロート２８によって吸気口２０が塞がれるので、吸気口２０への水の到達を確実に防止することができる。【選択図】図３
2008048799.tif 000002
【特許請求の範囲】
【請求項１】
下方を臨む吸気口を有する電動送風機と、
前記電動送風機の前記吸気口の下方に位置し、塵埃および水を溜めるための集塵容器と、
前記集塵容器に連通され、前記電動送風機が動作することによって前記集塵容器内へ空気、塵埃および水を導く集塵口と、
前記集塵容器内に設けられ、前記集塵口から入った空気が前記吸気口へ流れるのを許容するが、前記集塵容器に溜まった水が前記吸気口へ流れるのは阻止する気体／液体分離用フィルタと、
を有することを特徴とする、電気掃除機。
【請求項２】
前記気体／液体分離用フィルタは、柔軟性を有し、少なくとも前記吸気口の下方に位置し、前記気体／液体分離用フィルタにおいて前記吸気口と対向する対向部分は、上下移動可能であり、前記集塵容器に溜まった水の水位に応じて上方へ移動するものであり、
前記吸気口には、前記水位の上昇に伴って前記気体／液体分離用フィルタの前記対向部分が上方の所定位置に移動したとき、前記対向部分によって押し上げられて前記吸気口を塞ぐためのフロートが設けられていることを特徴とする、請求項１記載の電気掃除機。
【請求項３】
前記フロートは、その一部が前記気体／液体分離用フィルタと連結されていることを特徴とする、請求項２記載の電気掃除機。
【請求項４】
前記吸気口に対する前記フロートの上下移動をガイドするためのガイド部材が設けられていることを特徴とする、請求項２または３記載の電気掃除機。
【請求項５】
下方を臨む吸気口を有する電動送風機と、
前記電動送風機の前記吸気口の下方に位置し、塵埃および水を溜めるための集塵容器と、
前記集塵容器に連通され、前記電動送風機が動作することによって前記集塵容器内へ空気、塵埃および水を導く集塵口と、
前記吸気口に設けられ、前記集塵容器に溜まった水の水位が所定水位に達したとき、水によって押し上げられて前記吸気口を塞ぐためのフロートと、
前記吸気口の上方に入口を有し、前記集塵容器に入った空気を前記吸気口へ導くための吸気流路と、
を有することを特徴とする、電気掃除機。
【請求項６】
前記吸気流路の前記入口に設けられ、空気に混じった塵埃の通過を阻止するための塵除去フィルタを有することを特徴とする、請求項５記載の電気掃除機。
【請求項７】
前記吸気流路が、前記吸気口に対する前記フロートの上下移動をガイドするためのガイド部材を兼ねることを特徴とする、請求項５または６記載の電気掃除機。
【発明の詳細な説明】
【技術分野】
【０００１】
本発明は、電気掃除機に関する。
【背景技術】
【０００２】
塵埃に加え、水も吸い込むことができる、いわゆるウェット＆ドライ掃除機が知られている（たとえば、特許文献１参照。）。
特許文献１に記載の電気掃除機では、電動送風機によって吸い込まれた塵埃および水のうち、塵埃は、電動送風機に吸引される方向に見て電動送風機よりも上流側に設けられたフィルター装置で捕獲された後、掃除機本体に設けられた集塵容器内に溜められ、水は、自重により集塵容器内に溜められる。
【０００３】
そして、電動送風機の吸気口から吸引される位まで集塵容器内に水が溜められると、吸気口の下方に上下移動可能に設けられたフロートが浮上し、吸気口がフロートによって塞がれることにより、電動送風機内への水の浸入が防止される。
【特許文献１】特開平７−３９４８０号公報
【発明の開示】
【発明が解決しようとする課題】
【０００４】
特許文献１に記載されている電気掃除機では、吸気口がフロートによって塞がれていなくても、段差乗り越え時等で掃除機本体に振動が生じると、集塵容器内に溜められた水が飛散し、その飛散した水がフィルター装置を通過して吸気口まで到達する虞がある。水が吸気口に到達して吸引されると、電動送風機の構成部品に腐食が生じたり、その水が電動送風機の排気口から外部に吐き出されるという不具合が生じる。
【０００５】
この発明は、かかる背景のもとになされたもので、水を吸い込むことができる電気掃除機において、電動送風機の吸気口への水の到達を防止することができる電気掃除機を提供することを主たる目的とする。
【課題を解決するための手段】
【０００６】
請求項１記載の発明は、下方を臨む吸気口を有する電動送風機と、前記電動送風機の前記吸気口の下方に位置し、塵埃および水を溜めるための集塵容器と、前記集塵容器に連通され、前記電動送風機が動作することによって前記集塵容器内へ空気、塵埃および水を導く集塵口と、前記集塵容器内に設けられ、前記集塵口から入った空気が前記吸気口へ流れるのを許容するが、前記集塵容器に溜まった水が前記吸気口へ流れるのは阻止する気体／液体分離用フィルタと、を有することを特徴とする、電気掃除機である。
【０００７】
請求項２記載の発明は、前記気体／液体分離用フィルタは、柔軟性を有し、少なくとも前記吸気口の下方に位置し、前記気体／液体分離用フィルタにおいて前記吸気口と対向する対向部分は、上下移動可能であり、前記集塵容器に溜まった水の水位に応じて上方へ移動するものであり、前記吸気口には、前記水位の上昇に伴って前記気体／液体分離用フィルタの前記対向部分が上方の所定位置に移動したとき、前記対向部分によって押し上げられて前記吸気口を塞ぐためのフロートが設けられていることを特徴とする、請求項１記載の電気掃除機である。
【０００８】
請求項３記載の発明は、前記フロートは、その一部が前記気体／液体分離用フィルタと連結されていることを特徴とする、請求項２記載の電気掃除機である。
請求項４記載の発明は、前記吸気口に対する前記フロートの上下移動をガイドするためのガイド部材が設けられていることを特徴とする、請求項２または３記載の電気掃除機である。
【０００９】
請求項５記載の発明は、下方を臨む吸気口を有する電動送風機と、前記電動送風機の前記吸気口の下方に位置し、塵埃および水を溜めるための集塵容器と、前記集塵容器に連通され、前記電動送風機が動作することによって前記集塵容器内へ空気、塵埃および水を導く集塵口と、前記吸気口に設けられ、前記集塵容器に溜まった水の水位が所定水位に達したとき、水によって押し上げられて前記吸気口を塞ぐためのフロートと、前記吸気口の上方に入口を有し、前記集塵容器に入った空気を前記吸気口へ導くための吸気流路と、を有することを特徴とする、電気掃除機である。
【００１０】
請求項６記載の発明は、前記吸気流路の前記入口に設けられ、空気に混じった塵埃の通過を阻止するための塵除去フィルタを有することを特徴とする、請求項５記載の電気掃除機である。
請求項７記載の発明は、前記吸気流路が、前記吸気口に対する前記フロートの上下移動をガイドするためのガイド部材を兼ねることを特徴とする、請求項５または６記載の電気掃除機である。
【発明の効果】
【００１１】
請求項１記載の発明によれば、気体／液体分離用フィルタでは、集塵容器に溜まった水が電動送風機の吸気口へ流れるのが阻止されるので、吸気口への水の到達を防止することができる。その一方で、気体／液体分離用フィルタでは、空気が吸気口へ流れるのは許容されるので、電動送風機による円滑な吸引動作を確保することができる。
請求項２記載の発明によれば、気体／液体分離用フィルタにおいて吸気口と対向する対向部分は、集塵容器に溜まった水の水位に応じて上方へ移動する。そして、この対向部分が、集塵容器内の水位の上昇に伴って上方の所定位置に移動したとき、この対向部分によって押し上げられたフロートによって電動送風機の吸気口が塞がれるので、吸気口への水の到達を確実に防止することができる。
【００１２】
請求項３記載の発明によれば、フロートの一部が気体／液体分離用フィルタと連結されていることにより、フロートと気体／液体分離用フィルタとを一体で構成することができるので、電気掃除機の組付けに係る工程数の削減を図ることができる。
請求項４記載の発明によれば、ガイド部材によって、吸気口に対するフロートの上下移動がガイドされる。そのため、フロートは、気体／液体分離用フィルタの、上述した対向部分に押し上げられるときには、確実に吸気口を塞ぐ位置へと導かれるので、吸気口への水の到達を確実に防止することができる。また、下降時には、フロートを、押し上げられる前の所定位置へ確実に戻すことができる。
【００１３】
請求項５記載の発明によれば、集塵容器に溜まった水の水位が所定水位に達したとき、その水によって押し上げられたフロートによって電動送風機の吸気口が塞がれるので、吸気口への水の到達を防止することができる。
また、空気を吸気口へ導くための吸気流路は、吸気口の上方に入口を有しているので、集塵容器に溜まった水が入口に到達して吸気流路内に浸入する虞はない。そのため、吸気口への水の到達を確実に防止することができる。
【００１４】
請求項６記載の発明によれば、吸気流路の入口には、塵除去フィルタが設けられているので、塵埃の通過が阻止され、さらに、集塵容器に溜まった水が飛散したとしても、その水が入口を介して吸気流路内に浸入することが防止される。そのため、吸気口への水の到達を確実に防止することができる。また、塵除去フィルタも、吸気流路の入口と同様に、吸気口の上方に位置しているので、集塵容器に溜まった水に浸ることはなく、塵除去フィルタにおけるカビの発生を防止することができる。
【００１５】
請求項７記載の発明によれば、ガイド部材によって、吸気口に対するフロートの上下移動がガイドされる。そのため、フロートは、水によって押し上げられるときには、確実に吸気口を塞ぐ位置へと導かれるので、吸気口への水の到達を確実に防止することができる。また、下降時には、フロートを、押し上げられる前の所定位置へ確実に戻すことができる。
【００１６】
そして、吸気流路がガイド部材を兼ねることで、部品点数の削減を図ることができる。
【発明を実施するための最良の形態】
【００１７】
図１は、この発明の実施例に係る電気掃除機１の右側断面図であって、フロート２８が下降位置にある状態を示したものである。図２は、図１に示した電気掃除機１の正断面図である。図３は、図２において、フロート２８が浮上位置にある状態を示したものである。
＜実施例＞
電気掃除機１には、図１に示すように、電気掃除機本体２と、電気掃除機本体２に一端が接続されるホース３と、ホース３の他端に一端が接続されるパイプ４と、パイプ４の他端に接続される吸引具５とを備えている。
【００１８】
電気掃除機本体２は、その外殻をなす筐体６と、筐体６内に収容される電動送風機７とを備えている。
筐体６は、上方に向かって円形状に開口された開口部８を有する略円筒の釜形状の下側筐体９と、下側筐体９に対して、開口部８を上方から閉塞するように取り付けられる蓋形状の上側筐体１０とを備えている。
【００１９】
上側筐体１０には、その上面に、把手１１がねじ等によって取り付けられており、把手１１を掴むことによって、電気掃除機本体２を移動させることができる。また、上側筐体１０の後端には、パイプ４に設けられた被係合部３０に係合することでパイプ４および吸引具５を電気掃除機本体２に対して収納するための係合部３１が設けられている。
下側筐体９は、上述したように、釜形状に形成されており、以下では、その内側の中空部分を集塵容器１２とする。下側筐体９の正面側部分の上下方向略中央位置には、集塵容器１２内部を外部に連通させるための集塵口１３が形成されており、集塵口１３には、上述したホース３の一端が接続されている。集塵容器１２の、集塵口１３付近の部分には、旋回流路１４が設けられている。
【００２０】
旋回流路１４は、下側筐体９の内周面に沿って湾曲する管状に形成されており、集塵口１３を一端側の開口部として左側（図１の紙厚さ方向奥側）に延びている。詳しくは、旋回流路１４は、集塵口１３の開口方向（下側筐体９の径方向）と交差する方向（下側筐体９の周方向）に延びている。なお、旋回流路１４の左端部には、一端側の開口部である集塵口１３に対応する他端側の開口部が設けられ、この他端側の開口部は、集塵容器１２内部に連通している。これにより、集塵口１３と集塵容器１２内部とが連通している。
【００２１】
下側筐体９の底面の周縁部には、４つのキャスター１５が等間隔で配置されており、これらのキャスター１５により、電気掃除機本体２の移動が容易なものとなっている。
電動送風機７は、上側筐体１０の下面に取り付けられており、ケーシング１６と、ケーシング１６内に収容されるモータ（図示せず）、モータ（図示せず）の下方に設けられる送風ファン（図示せず）、および、モータ（図示せず）の上方に設けられる冷却ファン１７とを備えている。
【００２２】
ケーシング１６は、略円筒状に形成されており、その上面（天面）には上開口部１９が形成され、その下面（底面）には下方を臨む吸気口２０が形成され、送風ファン（図示せず）に対応する位置の同一円周上には複数の排気口２１が形成されている。
送風ファン（図示せず）および冷却ファン１７は、モータ（図示せず）の回転軸と同軸に設けられており、モータ（図示せず）が駆動されると、ともに回転される。
【００２３】
冷却ファン１７は、上側筐体１０に形成された冷却穴１８および上開口部１９を介して外部と連通しており、回転されると、図示破線矢印に沿って、外部の空気を取り込んでモータ（図示せず）に供給することにより、モータ（図示せず）の過熱を防止している。
送風ファン（図示せず）は、吸気口２０を介して集塵容器１２内部に連通しており、回転されると、図示実線矢印に沿って、吸引具５→パイプ４→ホース３→集塵口１３→旋回流路１４→集塵容器１２→吸気口２０の順で外部の空気を吸引する。吸引時に、吸引具５の吸込口３２が床面上の塵埃および水に対向すると、これらの塵埃および水も、空気とともに集塵容器１２へ吸引される。吸引される塵埃および水は、旋回流路１４を通ることにより、下側筐体９の内周面に沿って流れるように、集塵口１３から流れの向きが変更され、集塵容器１２内を、渦を巻きながら旋回する。これにより、吸引される塵埃および水には、遠心力が作用されることで、その大部分が空気から分離され、その後、自重により落下して集塵容器１２内に溜められる。そして、空気は、吸気口２０を通過した後、送風ファン（図示せず）に吸引されてから送出されることにより、排気口２１と上側筐体１０に形成された排気穴２２とを介して、外部に排気される（図示実線矢印参照）。
【００２４】
ここで、集塵容器１２内には、気体／液体分離用フィルタとしてのメインフィルタ２３およびプレフィルタ２４が設けられている。
メインフィルタ２３は、柔軟性を有する非透水性材料で構成され、下方に向けて小径となる中空の円錐台形状に形成されており、その上面には開口部が形成されている。メインフィルタ２３は、水の通過を規制するものの、空気の通過を許容する。メインフィルタ２３の上述した開口部の周縁には、下側筐体９の開口部８の周縁とほぼ同じ大きさの環状に形成されたメイン側取付リング２５が一体的に設けられている。メイン側取付リング２５が開口部８に上側から嵌められることにより、メインフィルタ２３は、集塵容器１２内の所定位置に位置決めされ、この所定位置において、集塵容器１２内部を、メインフィルタ２３の内側空間と外側空間とに区画し、内側空間を液密的に保っている。上述した電動送風機７は、メインフィルタ２３の内側空間内に配置されており、詳しくは、電動送風機７の吸気口２０は、メインフィルタ２３の底面の上方において、この底面と上下方向に対向している（つまり、メインフィルタ２３の底面が、メインフィルタ２３において吸気口２０と対向する対向部分である。）。また、集塵容器１２は、吸気口２０の下方に位置している。なお、メインフィルタ２３において、旋回流路１４に対向する部分は、旋回流路１４から離間する方向に凹んでいる。また、図１において、メインフィルタ２３は、撓んで（変形して）おらず、原形状を維持している。
【００２５】
プレフィルタ２４は、メインフィルタ２３より一回り大きい略相似状に形成されており、その上面には開口部が形成されている。プレフィルタ２４は、水および空気の通過を許容する。この開口部の周縁には、メイン側取付リング２５とほぼ等しい大きさのプレ側取付リング２６が一体的に設けられている。プレ側取付リング２６が開口部８に上側から嵌められることにより、プレフィルタ２４は、集塵容器１２内の所定位置に位置決めされ、この所定位置において、集塵容器１２内部を、プレフィルタ２４の内側空間と外側空間とに区画している。上述したメインフィルタ２３は、プレフィルタ２４の内側空間内に配置されている。なお、プレフィルタ２４において、旋回流路１４に対向する部分は、旋回流路１４から離間する方向に凹んでいる。また、旋回流路１４を設けることで、集塵口１３によって集塵容器１２内へと導かれた塵埃および水がプレフィルタ２４に直接当たることが防止されるので、プレフィルタ２４の損傷防止が図られている。
【００２６】
集塵容器１２内部から吸気口２０へ向かう空気は、先ず、プレフィルタ２４にて、塵埃（紙屑等の比較的大きいもの）が捕獲され、その後、メインフィルタ２３にて、微小の塵埃および水が捕獲されることにより、完全に塵埃および水が除去された状態で吸気口２０へ吸引される。つまり、メインフィルタ２３では、集塵容器１２に溜まった水が電動送風機７の吸気口２０へ流れるのが阻止されるので、吸気口２０への水の到達を防止することができる。その一方で、メインフィルタ２３では、空気が吸気口２０へ流れるのは許容されるので、電動送風機７による円滑な吸引動作を確保することができる。
【００２７】
また、電動送風機７には、ケーシング１６の底面の吸気口２０近傍から下方へ延びる柱体状の、ガイド部材としてのガイド突起２７が一体的に設けられている。ガイド突起２７の上下方向寸法は、ケーシング１６の底面から、原形状を維持しているメインフィルタ２３の底面までの上下方向間隔の略半分となるように設定されている。そして、ガイド突起２７には、フロート２８が取り付けられている。
【００２８】
フロート２８は、中空円筒状に形成されており、その上下方向寸法は、ガイド突起２７の上下方向寸法とほぼ等しくなるように設定されている。そして、フロート２８には、その上面から底面手前まで上下方向に沿って凹設されたガイド穴２９が形成されている。ガイド穴２９にガイド突起２７が挿通されることにより、フロート２８は、ガイド突起２７に沿って上下方向にスライド移動可能に支持されている。また、フロート２８は、メインフィルタ２３の底面上に載置されており、以下では、図１に示すように、メインフィルタ２３が原形状を維持しているときのフロート２８の上下方向位置を下降位置とする。
【００２９】
図２を参照して、集塵容器１２に水が溜められ、その水位がメインフィルタ２３の底面まで到達すると、メインフィルタ２３の底面には浮力が作用される。これにより、メインフィルタ２３の底面は上方へ移動し、メインフィルタ２３の底面によって、フロート２８が、ガイド突起２７に沿って押し上げられる。なお、メインフィルタ２３の底面の上方への移動に伴い、メインフィルタ２３の円周面は撓む（変形する）。そして、図３に示す所定の水位（図示矢印Ｘ参照）まで集塵容器１２に水が溜められると、フロート２８の上面が電動送風機７のケーシング１６の底面に当接し、吸気口２０を塞ぐ。ここで、吸気口２０を塞いだときのフロート２８の上下方向位置を浮上位置とする。
【００３０】
このように浮上位置まで浮上したフロート２８によって吸気口２０が塞がれるので、吸気口２０への水の到達を確実に防止することができる。なお、フロート２８をメインフィルタ２３の底面に配置することで、メインフィルタ２３の底面にフロート２８の重力が作用されるので、メインフィルタ２３の底面が勝手に浮上して吸気口２０を不用意に塞ぐことが防止される。
【００３１】
また、ガイド突起２７によって、吸気口２０に対するフロート２８の上下移動がガイドされる。そのため、フロート２８は、メインフィルタ２３の底面に押し上げられるときには、確実に吸気口２０を塞ぐ位置（図３に示す浮上位置）へと導かれるので、吸気口２０への水の到達を確実に防止することができる。また、下降時には、フロート２８を、浮上する前の所定位置（図２に示す下降位置）へ確実に戻すことができる。なお、フロート２８の下降に伴って、メインフィルタ２３の底面も下方へ移動する。
＜変形例１＞
図４は、図２において、変形例１を適用したものである。
【００３２】
上記実施例では、フロート２８をメインフィルタ２３の底面に載置することで、フロート２８とメインフィルタ２３とを別体で構成していたが、これらを一体で構成してよい。つまり、図４に示すように、フロート２８の外周面の下端部を、メインフィルタ２３の底面において対応する部分と連結することで、フロート２８とメインフィルタ２３とを一体で構成する。フロート２８とメインフィルタ２３とが一体で構成されていることにより、電気掃除機１の組付けに係る工程数の削減を図ることができる。
＜変形例２＞
図５は、図２において、変形例２を適用したものである。図６は、図３において、変形例２を適用したものである。
【００３３】
上記実施例および変形例１では、メインフィルタ２３を、柔軟性を有する非透水性材料で構成することにより、集塵容器１２内の水が電動送風機７の吸気口２０に到達することを防止していたが、これに代え、同様の効果を奏するために、以下に述べる吸気流路３５、および、塵除去フィルタとしての環状フィルタ３７を用いてもよい。
吸気流路３５は、中空かつ有底の略円筒状に形成されており、その中空部分内に吸気口２０が露出されるように、電動送風機７のケーシング１６の下部に取り付けられている。この中空部分（吸気流路３５内部）において、吸気流路３５の底面上の、吸気口２０と上下方向に対向する位置には、上述したフロート２８が載置される。なお、変形例２に係るフロート２８には、ガイド穴２９を設けなくてもよい。
【００３４】
吸気流路３５の底面の、フロート２８が載置される部分にのみ、吸気流路３５の底壁を貫通する水通過穴３８が形成されている。吸気流路３５の中空部分内おいて、吸気流路３５の底面には、載置されたフロート２８の外周面を径方向外側から囲むようにケーシング１６の底面へ向かって上方へ延びる円管状の、ガイド部材としてのガイド壁３６が一体的に形成されている。ガイド壁３６の上端縁とケーシング１６の底面との間には、上下方向に僅かな隙間が設けられている。そして、ガイド壁３６の同一円周上には、ガイド壁３６の上端縁から下方へ向かって切欠かれた複数のスリット３９が等間隔で形成されている。ここで、上述した下降位置は、吸気流路３５の底面上に載置されたときのフロート２８の上下方向位置である。集塵容器１２に溜められた水の水位が水通過穴３８まで到達すると、その水が、水通過穴３８を介して、ガイド壁３６によって囲まれた空間内に侵入し、この水によって、フロート２８に浮力が作用される。これにより、フロート２８は、ガイド壁３６の内周面に沿って押し上げられる。そして、図６に示すように、所定の水位（図示矢印Ｘ参照）まで集塵容器１２に水が溜められると、フロート２８の上面が電動送風機７の底面に当接し、吸気口２０およびスリット３９を塞ぐ。このときのフロート２８の上下方向位置が、上述した浮上位置である。なお、フロート２８の外周面とガイド壁３６の内周面との隙間は、水が浸入できない程度に設定されている。
【００３５】
吸気流路３５は、浮上位置にあるフロート２８よりも上方（詳しくは、フロート２８の上下方向略中央位置から上側）の部分が拡径されるように形成されており、その拡径された部分の外周面において、吸気口２０の上方位置には、環状の入口３４が形成されている。図５に示すように、吸気流路３５内部（ガイド壁３６によって囲まれた空間においては、フロート２８よりも上側の部分）および吸気口２０は、入口３４を介して集塵容器１２内部に連通している。そして、入口３４には、これを塞ぐように、入口３４の形状に対応した環状のフィルタ（環状フィルタ３７とする。）が設けられている。これにより、集塵容器１２内部から吸気口２０へ向かう空気は、先ず、プレフィルタ２４にて、塵埃（紙屑等の比較的大きいもの）が捕獲され、その後、メインフィルタ２３にて、微小の塵埃が捕獲され（変形例２に係るメインフィルタ２３は、水の通過を規制する機能を有していなくてもよい。）、さらに、環状フィルタ３７においても、空気に混じった塵埃が捕獲される。そして、水は、プレフィルタ２４およびメインフィルタ２３を通過したとしても、環状フィルタ３７にて捕獲され、これにより、吸気流路３５内への水の侵入が阻止される。そのため、完全に塵埃および水が除去された空気が吸気口２０へと導かれる。
【００３６】
つまり、空気を吸気口２０へ導くための吸気流路３５は、吸気口２０の上方に入口３４を有しているので、集塵容器１２に溜まった水が入口３４に到達して吸気流路３５内に浸入する虞はない。さらに、入口３４には、環状フィルタ３７が設けられているので、塵埃の通過が阻止され、さらに、集塵容器１２に溜まった水が飛散したとしても、その水が入口３４を介して吸気流路３５内に浸入することが防止される。この結果、吸気口２０への水の到達を確実に防止することができる。また、環状フィルタ３７も、吸気流路３５の入口３４と同様に、吸気口２０の上方に位置しているので、集塵容器１２に溜まった水に浸ることはなく、環状フィルタ３７におけるカビの発生を防止することができる。
【００３７】
また、吸気流路３５のガイド壁３６が、上述したガイド突起２７と同様に、吸気口２０に対するフロート２８の上下移動をガイドするためのガイド部材を兼ねることで、部品点数の削減を図ることができる。
この発明は、以上説明した実施形態に限定されるものではなく、請求項記載の範囲内において種々の変更が可能である。
【図面の簡単な説明】
【００３８】
【図１】この発明の実施例に係る電気掃除機１の右側断面図であって、フロート２８が下降位置にある状態を示したものである。
【図２】図１に示した電気掃除機１の正断面図である。
【図３】図２において、フロート２８が浮上位置にある状態を示したものである。
【図４】図２において、変形例１を適用したものである。
【図５】図２において、変形例２を適用したものである。
【図６】図３において、変形例２を適用したものである。
【符号の説明】
【００３９】
１    電気掃除機
７    電動送風機
１２  集塵容器
１３  集塵口
２０  吸気口
２３  メインフィルタ
２７  ガイド突起
２８  フロート
３４  入口
３５  吸気流路
３６  ガイド壁
３７  環状フィルタ
【図１】
2008048799.tif 000003
【図２】
2008048799.tif 000004
【図３】
2008048799.tif 000005
【図４】
2008048799.tif 000006
【図５】
2008048799.tif 000007
【図６】
2008048799.tif 000008